(57)【要約】【課題】導光板の他方側端面で生じるグレアを低減しつつ、導光板の主面から出射する配光量を増加することができる導光板を提供する。【解決手段】導光板３０は、光が入射する下方側端面３６と、下方側端面３６と交差する第１出射面３３及び第２出射面３５とを有している。導光板３０は、導光した光を第１出射面３３及び第２出射面３５から出射させる。導光板３０の入射面３１とは反対側の下方側端面３６は、凹状又は凸状に形成されている。下方側端面３６は、光を反射させる反射体４５が設けられている反射領域と、光を出射させる出射領域とを有している。【選択図】図３
2017152107.tif 000002
【特許請求の範囲】
【請求項１】
光が入射する一方側端面と、前記一方側端面と交差する主面とを有し、入射した光を導光させて前記主面から出射させる導光板であって、
当該導光板の一方側端面とは反対側の他方側端面は、凹状又は凸状に形成され、
前記他方側端面は、導光してきた光を反射させる反射体が設けられている反射領域と、導光してきた光を出射させる出射領域とを有している導光板。
【請求項２】
当該導光板において前記主面と略直交する平面で切断したときにおける当該導光板の前記他方側端面を断面視した場合に、
前記他方側端面は、凹状をなした谷型部であり、
前記谷型部の底部には、光を反射させる前記反射体が設けられている請求項１記載の導光板。
【請求項３】
当該導光板の前記主面と略直交する平面で切断したときにおける当該導光板の前記他方側端面を断面視した場合に、
前記他方側端面は、凸状をなした山型部であり、
前記山型部の先端側には、反射体を収容する凹部が形成されている請求項１記載の導光板。
【請求項４】
当該導光板の前記主面と略直交する平面で切断したときにおける当該導光板の前記他方側端面を断面視した場合に、
前記山型部の一端と前記山型部の他端とを結ぶ前記山型部の仮想の底辺と、前記山型部の側面とが交差する鋭角の角度は、３０°以上５０°以下である請求項３記載の導光板。
【請求項５】
当該導光板の前記主面と略直交する平面で切断したときにおける当該導光板の前記他方側端面を断面視した場合に、
前記山型部における前記仮想の底辺と、前記仮想の底辺から垂直に延びる直線に存在する前記山型部の頂点との距離は、１０μｍ以上２ｍｍ以下である請求項４記載の導光板。
【請求項６】
当該導光板の前記主面と略直交する平面で切断したときにおける当該導光板の前記他方側端面を断面視した場合に、
前記他方側端面には、前記反射体を収容する凹部が形成され、
前記凹部の内周面には、当該導光板で導光している光の透過を規制する不透過部材が設けられている請求項１又は２記載の導光板。
【請求項７】
請求項１〜６のいずれか１項に記載の導光板と、
当該導光板の前記一方側端面に光を入射させる光源とを備える照明装置。
【発明の詳細な説明】
【技術分野】
【０００１】
本発明は、入射面から入射した光が導光して主面から光を出射させる導光板及び導光板を用いた照明装置に関する。
【背景技術】
【０００２】
従来、光源からの光を導光板の側面に入射し、導光板の主面の一例である導光板の表面から出射させる導光板及び導光板を用いた照明装置が知られている（例えば特許文献１参照）。この導光板では、光源側とは反対側の導光板の側面を三角形状に尖らせることで、導光板で導光してきた光を反射させて出射面から光を出射させる。
【先行技術文献】
【特許文献】
【０００３】
【特許文献１】特開２０１０−０５６０８９号公報
【発明の概要】
【発明が解決しようとする課題】
【０００４】
しかしながら、特許文献１に記載された導光板では、使用者が導光板の表面と対面して入射面とは反対側の導光板の側面を見た場合に、側面からグレア（眩しさ）が生じるとともに、導光板の表面から出射する配光量が減少する。このため、入射面とは反対側における導光板の側面に光を反射する反射材を設けることが考えられる。しかし、これでは、入射面とは反対側における導光板の側面から光が出射し難い。また、入射面とは反対側における導光板の側面から光を出射したい場合もある。
【０００５】
本発明は、このような課題を解決するためになされたものであり、導光板の他方側端面で生じるグレアを低減しつつ、導光板の主面から出射する配光量を増加することができる導光板及び導光板を用いた照明装置を提供することを目的とする。
【課題を解決するための手段】
【０００６】
上記課題を解決するために、本発明に係る導光板の一態様は、光が入射する一方側端面と、前記一方側端面と交差する主面とを有し、入射した光を導光させて前記主面から出射させる導光板であって、当該導光板の一方側端面とは反対側の他方側端面は、凹状又は凸状に形成され、前記他方側端面は、導光してきた光を反射させる反射体が設けられている反射領域と、導光してきた光を出射させる出射領域とを有している。
【０００７】
また、本発明の一態様に係る照明装置は、導光板と、当該導光板の前記一方側端面に光を入射させる光源とを備える。
【発明の効果】
【０００８】
本発明によれば、導光板の他方側端面で生じるグレアを低減しつつ、導光板の主面から出射する配光量を増加することができる。
【図面の簡単な説明】
【０００９】
【図１】実施の形態１に係る照明装置の斜視図である。
【図２】実施の形態１に係る照明装置の部分拡大断面図である。
【図３】実施の形態１に係る照明装置における導光板の断面図である。
【図４】実施の形態１に係る照明装置における導光板の部分拡大断面図である。
【図５】実施の形態１の変形例１に係る照明装置における導光板の部分拡大断面図である。
【図６】実施の形態１の変形例２に係る照明装置における導光板の部分拡大断面図である。
【図７】実施の形態１の変形例３に係る照明装置における導光板の部分拡大断面図である。
【図８】実施の形態１の変形例４に係る照明装置における導光板の部分拡大断面図である。
【図９】実施の形態１の変形例５に係る照明装置における導光板の部分拡大断面図である。
【図１０】実施の形態１の変形例５に係る照明装置における導光板の部分拡大断面斜視図である。
【図１１】（ａ）は、実施の形態１の変形例５に係る照明装置における導光板の部分拡大断面斜視図である。（ｂ）は、実施の形態１の変形例５に係る照明装置における導光板の部分拡大断面斜視図である。
【図１２】実施の形態２に係る照明装置における導光板の下方における側面図である。
【図１３】図１２のＸＩＩＩ−ＸＩＩＩ線において実施の形態２に係る照明装置における導光板の部分拡大断面図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
以下、本実施の形態１に係る導光板及び導光板を用いた照明装置の構成について、図１及び図２を用いて説明する。この導光板は、透光性材料を用いて形成され、入射された光を導光させて光を出射させる。
【００１３】
［構成］
図１は、実施の形態１に係る照明装置１０の斜視図である。図２は、実施の形態１に係る照明装置１０の部分拡大断面図である。
【００１４】
図１では、照明装置１０を天井に取り付けた状態において、天井側の方向を上方向、天井とは反対側の照明装置１０側を下方向、紙面の右側を右方向、紙面の左側を左方向としている。そして、図２以降の各図に示す各方向は、全て図１に示す各方向に対応させて表示する。また、図２では、紙面の表側を前方向、紙面の裏側を後方向としている。図１以降の各図に示す前後方向は、全て図２に示す各方向に対応させて表示する。なお、図１では、上下方向、左右方向及び前後方向は、使用態様によって変化するため、これには限定されない。以降の図においても、同様である。
【００１５】
図１に示すように、照明装置１０は、エッジライト方式であり、天井に埋め込んで配設されている。照明装置１０は、本体部１１と、導光板３０とを備えている。
【００１６】
図２に示すように、本体部１１は、外装部１２と、外部からの電力によって駆動する電源部１３と、複数の光源１５と、光源１５に対応する基盤１６と、放熱部１７と、筐体１８とを有している。
【００１７】
外装部１２は、その下方が開いた有底の箱状である。外装部１２は、天井から落下しないように、図示しない固定手段により天井に固定されている。固定手段は、外装部１２に設けられた図示しないねじ穴を挿通するボルト等で固定されていてもよく、接着剤等で固定されていてもよく、天井に固定することができる手段であればいかなる手段でもよい。
【００１８】
外装部１２には、電源部１３と、複数の光源１５と、光源１５に対応する基盤１６と、放熱部１７（ヒートシンク）と、筐体１８とが収容されている。
【００１９】
電源部１３は、外部からの電力によって駆動する。電源部１３は、天井に固定されている外部の電源と接合することができるように構成されている。電源部１３は、天井の裏側（上側）に配線されている図示しない外部の電源と電気的に接続される。
【００２０】
光源１５は、基盤１６に接続されている。基盤１６は、放熱部１７に接続されている。また、基盤１６は、電源部１３に電気的に接続されている。光源１５は、光の出射方向が下方に向くように配置されている。つまり、光源１５は、光源１５から離れる方向で、かつ天井の天井面に対して略垂直に光を出射するように設けられている。
【００２１】
光源１５の下方向（出射方向）には、導光板３０が配置されている。光源１５は、導光板３０における上端の側面（一方側端面の一例であり、後述する導光板３０の入射面３１）と、電源部１３との間に配置されている。光源１５は、光を出射する出射方向（下方向）が導光板３０における後述する導光板３０の入射面３１（一方側端面の一例）に対向するように、基板に実装され、導光板３０の入射面３１に向けて光を出射する。具体的には、光源１５による光の出射方向は、上方から下方に向かう方向であり、導光板３０の入射面３１と略垂直な関係にあり、導光板３０の入射面３１とも略垂直な関係にある。光源１５と導光板３０との間には、光源１５と導光板３０とが接触しないように隙間が空けられている。
【００２２】
光源１５は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。光源１５は、電源部１３に設けられている図示しない制御部により制御されて点灯及び消灯を行う。また、各光源１５は、電源部１３に設けられている制御部により制御されて調光調色が行われる。
【００２３】
なお、光源１５は、このような構成に限定されるものではなく、光源１５の図示しない基板上にＬＥＤチップが直接的に実装されたＣＯＢ（Ｃｈｉｐ  Ｏｎ  Ｂｏａｒｄ）型の発光モジュールが用いられてもよい。また、光源１５が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００２４】
放熱部１７は、基盤１６の上面に面接触している。放熱部１７は、光源１５で発生した熱が基盤１６を介して伝導し、放熱させる。なお、放熱部１７は、金属部材（金属支柱部）であり、光源１５で発生した熱を効率良く筐体１８に放熱させるために、アルミニウム（Ａｌ）、銅（Ｃｕ）又は鉄（Ｆｅ）等の熱伝導率の高い金属材料を主成分として構成していてもよい。また、放熱部１７は、金属製に限らず、熱伝導率の高い樹脂材料を用いて構成してもよい。
【００２５】
筐体１８は、光源１５、基盤１６、放熱部１７を周囲から囲むように設けられている。筐体１８には、筐体１８の下端面から下方に向かって突出する導光板支持部２１が形成されている。筐体１８と導光板支持部２１とは、同一の部材であってもよいが、異なる部材であってもよい。
【００２６】
導光板支持部２１は、筐体１８の下端面の左端側と右端側とから突出し、互いに平行な板状をなしている。導光板支持部２１は、導光板３０の上端縁を左右から挟み込むことによって導光板３０を支持することが可能に構成されている。
【００２７】
なお、導光板支持部２１には、導光板３０が滑り落ちないように支持する弾性部が設けられていてもよい。弾性部は、導光板３０と導光板支持部２１との間に配置され、導光板３０の上端縁を挟みこむように導光板支持部２１に設けられている。なお、弾性部は、ゴム、スポンジ等の弾性体を用いることが好ましい。つまり、導光板３０を本体部１１に取り付ける際に、弾性部が押し縮められ、弾性部がその反発力で導光板３０が導光板支持部２１に対してぐらつかないように固定することができる。
【００２８】
なお、導光板３０の支持する方法は、導光板支持部２１だけに限らず、例えば、導光板支持部２１と導光板３０とを接着剤等で固定する等、導光板３０を支持することができるのであればいかなる方法でもよい。
【００２９】
導光板３０は、上端縁が導光板支持部２１で固定され、天井の天井面から下方に向かって略垂直に延びるように支持されている。導光板３０は、長方形状の平板上状をなしている。導光板３０は、第１出射面３３又は第２出射面３５と対面視した場合に、導光板３０の左右方向が導光板３０の厚みであり、導光板３０の前後方向が長手方向であり、導光板３０の上下方向が導光板３０の短手方向である。なお、導光板３０の形状は、長方形状に限らず、円盤状でもよく、三角形状など、他の形状でもでもよい。また、導光板３０は、天井の天井面に垂直に支持されているが、天井面と水平に支持されてもよく、天井面に対して斜めに支持されていてもよい。
【００３０】
導光板３０は、光源１５からの光を後述する第１出射面３３及び第２出射面３５に向かって導光する光学部材である。導光板３０は、ポリカーボネートや、アクリルなどの透光性の樹脂であるが、その他どのような材料で形成されてもよい。
【００３１】
次に、本実施の形態１に係る導光板３０の構成について、図３及び図４を用いて説明する。
【００３２】
図３は、実施の形態１に係る照明装置１０における導光板３０の断面図である。図４は、実施の形態１に係る照明装置１０における導光板３０の部分拡大断面図である。図４では、実線で表した線は、光を表している。図３以降は、導光板３０の第１出射面３３及び第２出射面３５と略直交する上下方向及び左右方向の平面で切断したときにおける導光板３０の入射面３１とは反対側の下方側端面３６（他方側端面の一例）を断面視した場合について説明する。
【００３３】
図２及び図４に示すように、導光板３０には、入射面３１と、内部で導光する光を出射する第１出射面３３（主面の一例）と、光を反射する第２出射面３５（主面の一例）と、下方側端面３６とが形成されている。
【００３４】
入射面３１は、略均一の平面をなし、導光板３０の上端の面である。入射面３１は、各光源１５からの光が入射する面である。入射面３１は、光源１５が放射する光が入り込むように、光源１５からの出射方向（下方向）と略垂直に設けられている。
【００３５】
図４に示すように、導光板３０の第１出射面３３は、導光板３０の左側の面であり、略均一の平面をなしている。導光板３０の第２出射面３５は、導光板３０の右側の面であり、略均一の平面をなしている。第２出射面３５は、第１出射面３３と反対側の面である。第１出射面３３と第１出射面３３とは、内部で導光する光を出射する面である。
【００３６】
第１出射面３３には、第１出射面３３から第２出射面３５に向かって凹む溝状のマイクロプリズム素子３７が複数形成されている。また、第２出射面３５にも、第２出射面３５から第１出射面３３に向かって凹む溝状のマイクロプリズム素子３７が複数形成されている。第１出射面３３及び第２出射面３５には、複数のマイクロプリズム素子３７がランダムに形成されている。なお、各マイクロプリズム素子３７は均一に形成されていてもよい。
【００３７】
マイクロプリズム素子３７は、円錐状の凹溝である。マイクロプリズム素子３７の内周面は、三角錐状の曲面（テーパー面）である。
【００３８】
図３及び図４に示すように、導光板３０の下方側端面３６は、凹状をなした凹部４１（谷型部の一例）である。凹部４１は、下方から上方に向かって凹んでいる。凹部４１は、前後方向に延びる方形状の溝である。
【００３９】
導光板３０の下方側端面３６には、左右一対の第１側壁４３と第２側壁４４とが形成されている。凹部４１は、第１側壁４３と第２側壁４４とによって挟まれて形成される。凹部４１の底部４１ｔには、反射体４５（反射領域の一例）が設けられている。凹部４１における底部４１ｔの左右方向の長さ（導光板３０の厚み）は、第１側壁４３の左右方向の長さ（第１側壁４３の厚み）、及び、第２側壁４４の左右方向の長さ（第２側壁４４の厚み）よりも大きく設定されている。なお、凹部４１における底部４１ｔの左右方向の長さ（導光板３０の厚み）は、第１側壁４３の左右方向の長さ（第１側壁４３の厚み）、及び、第２側壁４４の左右方向の長さ（第２側壁４４の厚み）よりも小さく設定されていてもよく、同じでもよい。なお、第１側壁４３と第２側壁４４とは、異なる形状でもよい。
【００４０】
反射体４５は、導光してきた光を反射させる。反射体４５は、アルミニウム等の金属を蒸着等で形成した鏡面（金属化層）、高反射塗料による塗装、白色プラスチック層等の反射性材料などの反射性材料で形成する。なお、反射体４５は、アルミニウム等の金属板が単に設けられているだけでもよく、金属がレーザ溶着されていてもよい。
【００４１】
第１側壁４３は、凹部４１における底部４１ｔの左端縁から下方に向けて延び、板状をなしている。第１側壁４３は、第１面４３ａ、第２面４３ｂ、左側傾斜面４３ｃ（出射領域の一例）及び右側傾斜面４３ｄ（出射領域の一例）を有している。
【００４２】
第１側壁４３の第１面４３ａは、左側の面であり、第１出射面３３と面一である。第１側壁４３の第２面４３ｂは、右側の面であり、第１面４３ａとは反対側の面であり、凹部４１の内側である。
【００４３】
第１側壁４３の下端（先端）は、左側傾斜面４３ｃと右側傾斜面４３ｄとで構成される三角形状をなしている。具体的には、第１側壁４３の左側傾斜面４３ｃは、第１側壁４３における第１面４３ａの下端縁から右斜め下方向に向かって延びる面である。第１側壁４３の右側傾斜面４３ｄは、第１面４３ａの下端縁から第１側壁４３の第２面４３ｂの下端縁まで、上斜め右方向に向かって延びる面である。なお、この三角形状は、略二等辺三角形であることが好ましい。第１側壁４３の下端（先端）は、三角形状となっているが、円弧状に丸まっていてもよく、波状の曲面等であってもよい。
【００４４】
第２側壁４４は、凹部４１における底部４１ｔの右端縁から下方に向けて延び、板状をなしている。第２側壁４４は、第３面４４ａ、第４面４４ｂ、左側傾斜面４４ｃ（出射領域の一例）及び右側傾斜面４４ｄ（出射領域の一例）を有している。
【００４５】
第２側壁４４の第３面４４ａは、左側の面であり、第２出射面３５と面一である。第２側壁４４の第４面４４ｂは、右側の面であり、第３面４４ａとは反対側の面であり、凹部４１の内側である。
【００４６】
第２側壁４４の下端（先端）は、左側傾斜面４４ｃと右側傾斜面４４ｄとで構成される三角形状をなしている。具体的には、第２側壁４４の左側傾斜面４４ｃは、第２側壁４４における第３面４４ａの下端縁から右斜め下方向に向かって延びる面である。第２側壁４４の右側傾斜面４４ｄは、第３面４４ａの下端縁から第２側壁４４の第４面４４ｂの下端縁まで、右斜め上方向に向かって延びる面である。なお、この三角形状は、略二等辺三角形であることが好ましい。第２側壁４４の下端（先端）は、三角形状となっているが、円弧状に丸まっていてもよく、波状の曲面等であってもよい。
【００４７】
第１側壁４３の第２面４３ｂ（凹部４１における内壁の左側の面）と第２側壁４４の第３面４４ａ（凹部４１における内壁の右側の面）とは、略平行に対面しており、第１出射面３３及び第２出射面３５と略平行である。
【００４８】
こうして、光源１５から出射された光は、導光板３０の入射面３１から入射する。入射した光は、導光板３０内部で導光し、第１出射面３３及び第２出射面３５におけるマイクロプリズム素子３７、第１出射面３３、第２出射面３５、反射体４５などで反射したりする。また、導光する光は、導光板３０の第１出射面３３、第２出射面３５などから出射したりもする。
【００４９】
また、導光してきた光は、第１側壁４３における、第１面４３ａ、第２面４３ｂ、左側傾斜面４３ｃ、右側傾斜面４３ｄ等から出射したり、第２側壁４４における、第３面４４ａ、第４面４４ｂ、左側傾斜面４４ｃ、右側傾斜面４４ｄ等から出射したりする。
【００５０】
［作用効果］
次に、本実施の形態１おける導光板３０及び導光板３０を用いた照明装置１０の作用効果について説明する。
【００５１】
上述したように、実施の形態１に係る導光板３０は、光が入射する入射面３１と、入射面３１と交差する第１出射面３３及び第２出射面３５とを有し、入射した光を導光させて第１出射面３３及び第２出射面３５から出射させる。また、導光板３０の入射面３１とは反対側の下方側端面３６は、凹状又は凸状に形成されている。そして、下方側端面３６は、導光してきた光を反射させる反射体４５が設けられている反射領域と、導光してきた光を出射させる出射領域とを有している。
【００５２】
また、上述したように、実施の形態１に係る照明装置１０では、導光板３０の入射面３１に光を入射させる光源１５と、導光板３０とを備える。
【００５３】
この構成によれば、第１側壁４３及び第２側壁４４には、反射体４５が設けられていない。このため、導光板３０を導光してきた光は、出射領域である第１側壁４３における、第１面４３ａ、第２面４３ｂ、左側傾斜面４３ｃ及び右側傾斜面４３ｄで反射又は屈折したりする。また、導光板３０を導光してきた光は、出射領域である第２側壁４４における、第３面４４ａ、第４面４４ｂ、左側傾斜面４４ｃ及び右側傾斜面４４ｄで反射又は屈折したりする。さらに、導光板３０を導光してきた光は、反射体４５が設けられている反射領域で反射する。反射体４５によって反射した光は、第１出射面３３及び第２出射面３５から出射したり、入射面３１側に戻ったりする。このため、凹部４１に反射体４５を設けていない導光板３０に比べ、下方側端面３６で生じるグレアが低減するとともに、第１出射面３３及び第２出射面３５から出射する配光量が増加する。
【００５４】
したがって、この導光板３０及び導光板３０を用いた照明装置１０によれば、導光板３０の下方側端面３６で生じるグレアを低減しつつ、導光板３０の第１出射面３３及び第２出射面３５から出射する配光量を増加することができることができる。
【００５５】
なお、照明装置１０を天井に配置した場合において、反射体４５で反射して入射面３１側に向う光は、上側の第１出射面３３及び上側の第２出射面３５から出射すると、天井の天井面付近を明るく照らすことができる。このため、室内でこの照明装置１０を使用した場合では、室内が明るく見える。
【００５６】
また、実施の形態１に係る導光板３０では、導光板３０の第１出射面３３及び第２出射面３５と略直交する上下方向及び左右方向の平面で切断したときにおける導光板３０の下方側端面３６を断面視した場合に、下方側端面３６は、凹状をなした凹部４１である。そして、凹部４１の底部４１ｔには、光を反射させる反射体４５が設けられている。
【００５７】
この構成によれば、凹部４１に反射体４５を設けるといった加工を行い易い。
【００５８】
また、導光板３０を導光する光は、導光板３０の入射面３１とは反対側の凹部４１に入射する。導光板３０を導光してきた光は、凹部４１の底部４１ｔに設けられている反射体４５で反射する。反射体４５で反射した光は、導光板３０内を導光し、第１出射面３３及び第２出射面３５から出射したり、入射面３１側に向かったりする。このため、凹部４１に反射体４５を設けていない導光板３０に比べ、第１出射面３３及び第２出射面３５から出射する光が増加するため、所望の配光を得ることができ易い。
【００５９】
（実施の形態１の変形例１）
以下、本実施の形態１の変形例１に係る導光板３０の構成について、図５を用いて説明する。
【００６０】
図５は、実施の形態１の変形例１に係る照明装置１０における導光板３０の部分拡大断面図である。
【００６１】
図５に示すように、この導光板３０における他の構成は、実施の形態１の導光板３０と同様であり、同一の構成については同一の符号を付して構成に関する詳細な説明を省略する。
【００６２】
導光板３０の第１出射面３３及び第２出射面３５と略直交する上下方向及び左右方向の平面で切断したときにおける導光板３０の下方側端面３６を断面視したについて説明する。
【００６３】
導光板３０の下方側端面３６は、上方に向かって凹む凹部１１１（谷型部の一例）を有している。凹部１１１には、左右一対の第１側壁１１３と第２側壁１１４とが形成されている。凹部１１１は、第１側壁１１３と第２側壁１１４とによって挟まれて形成される。
【００６４】
凹部１１１は、上方が短尺で、下方が長尺の台形状の溝である。言い換えれば、凹部１１１は、凹部１１１の左右端縁で左右一対の第１側壁１１３と第２側壁１１４とを有し、第１側壁１１３と第２側壁１１４とによって挟まれる台形状の溝である。
【００６５】
第１側壁１１３は、右側傾斜面１１３ｄ（出射領域の一例）と、左側面１１３ｃ（凹部１１１における内壁の左側の面）とを有している。左側面１１３ｃは、第１出射面３３と面一である。右側傾斜面１１３ｄは、左側面１１３ｃの下端縁から右斜め上方に向かって凹部１１１における底部１１１ｔの左端縁まで延びる面である。
【００６６】
第２側壁１１４は、右側面１１４ｄと、左側傾斜面１１４ｃ（出射領域の一例、凹部１１１における内壁の右側の面）とを有している。右側面１１４ｄは、第２出射面３５と面一である。左側傾斜面１１４ｃは、右側面１１４ｄの下端縁から左斜め上方に向かって凹部１１１における底部１１１ｔの右端縁まで延びる面である。
【００６７】
実施の形態１の変形例１においても、実施の形態１と同様の作用効果を奏する。
【００６８】
（実施の形態１の変形例２）
以下、本実施の形態１の変形例２に係る導光板３０の構成について、図６を用いて説明する。
【００６９】
図６は、実施の形態１の変形例２に係る照明装置１０における導光板３０の部分拡大断面図である。
【００７０】
図６に示すように、この導光板３０における他の構成は、実施の形態１の変形例１の導光板３０と同様であり、同一の構成については同一の符号を付して構成に関する詳細な説明を省略する。
【００７１】
導光板３０の第１出射面３３及び第２出射面３５と略直交する上下方向及び左右方向の平面で切断したときにおける導光板３０の下方側端面３６を断面視したについて説明する。
【００７２】
導光板３０の下方側端面３６は、上方に向かって凹む凹部１２１（谷型部の一例）を有している。凹部１２１には、左右一対の第１側壁１１３と第２側壁１１４とが形成されている。凹部１２１は、第１側壁１１３と第２側壁１１４とによって挟まれて形成される。
【００７３】
凹部１２１の底部は、第１側壁１１３の右側傾斜面１１３ｄの上端縁から右斜め上に向かって延びる第１傾斜底面１２１ｔ（底部の一例）と、第１傾斜底面１２１ｔの上端縁から右斜め下に向かって延びる第２傾斜底面１２１ｓ（底部の一例）とを有している。第１傾斜底面１２１ｔは右側傾斜面１１３ｄよりも傾斜が緩やかであり、第２傾斜底面１２１ｓは左側傾斜面１１４ｃよりも傾斜が緩やかである。
【００７４】
反射体４５は、凹部１２１の底部に設けられ、第１傾斜底面１２１ｔと第２傾斜底面１２１ｓとを覆っている。また、反射体４５は、右側傾斜面１１３ｄ及び左側傾斜面１１４ｃの一部を覆っている。
【００７５】
この導光板３０では、第１出射面３３に対して第１傾斜底面１２１ｔは傾斜しており、第２出射面３５に対して第２傾斜底面１２１ｓは傾斜している。つまり、反射体４５も第１出射面３３及び第２出射面３５に対して傾斜して設けられている。このため、入射面３１から導光してきた光は、反射体４５で反射されると、第１出射面３３及び第２出射面３５から出射し易い。
【００７６】
実施の形態１の変形例２においても、実施の形態１と同様の作用効果を奏する。
【００７７】
（実施の形態１の変形例３）
以下、本実施の形態１の変形例３に係る導光板３０の構成について、図７を用いて説明する。
【００７８】
図７は、実施の形態１の変形例３に係る照明装置１０における導光板３０の部分拡大断面図である。
【００７９】
図７に示すように、この導光板３０における他の構成は、実施の形態１の導光板３０と同様であり、同一の構成については同一の符号を付して構成に関する詳細な説明を省略する。
【００８０】
導光板３０の第１出射面３３及び第２出射面３５と略直交する上下方向及び左右方向の平面で切断したときにおける導光板３０の下方側端面３６を断面視した場合について説明する。
【００８１】
導光板３０の下方側端面３６は、下方に向かって突出する凸部１３１（山型部の一例）を有している。つまり、下方側端面３６は、凸状に形成されている。
【００８２】
凸部１３１の中央領域（先端側の一例）には、凹部１３３が設けられている。凹部１３３の底部１３３ｔは、平坦に形成されている。凹部１３３には、反射体４５が設けられている。反射体４５は、第１曲面１３１ｃ（出射領域の一例）と、第２曲面１３１ｄ（出射領域の一例）との間に位置している。なお、反射体４５は、中央領域において左右対称に設けられていることが好ましい。中央領域とは、導光板３０の上下方向に延びる直線が導光板３０の中心を通過して凸部１３１と交わる点と、その点の近傍に位置する領域である。
【００８３】
凸部１３１は、円弧状をした面である。凸部１３１は、第１曲面１３１ｃと、第２曲面１３１ｄとを有している。第１曲面１３１ｃは、第１出射面３３の下端縁から反射体４５まで延びている。第２曲面１３１ｄは、第２出射面３５の下端縁から反射体４５まで延びている。なお、第１曲面１３１ｃ及び第２曲面１３１ｄは、円弧状に限られず、放物面等の曲面でもよく、三角形状を成した平面であってもよい。
【００８４】
［作用効果］
次に、本実施の形態１の変形例３おける導光板３０及び導光板３０を用いた照明装置１０の作用効果について説明する。
【００８５】
上述したように、実施の形態１の変形例３に係る導光板３０では、導光板３０の第１出射面３３及び第２出射面３５と略直交する平面で切断したときにおける導光板３０の下方側端面３６を断面視した場合に、下方側端面３６は、突出した凸部１３１を有している。そして、凸部１３１の先端側には、光を反射させる反射体４５が設けられている。
【００８６】
この構成によれば、凸部１３１の先端側へ導光してきた光は、反射体４５により反射される。このため、導光板３０の第１出射面３３又は第２出射面３５と対面して導光板３０の凸部４０を見た場合に、凸部１３１の先端側から出射する光が減少する。また、第１曲面１３１ｃ及び第２曲面１３１ｄからは出射する光が広がりをもって出射する。その結果、この導光板３０では、凸部１３１の先端側から出射するグレアを低減することができる。
【００８７】
実施の形態１の変形例３においても、実施の形態１と同様の作用効果を奏する。
【００８８】
（実施の形態１の変形例４）
以下、本実施の形態１の変形例４に係る導光板の構成について、図８を用いて説明する。
【００８９】
図８は、実施の形態１の変形例４に係る照明装置１０における導光板３０の部分拡大断面図である。
【００９０】
図８に示すように、この導光板３０における他の構成は、実施の形態１の導光板３０と同様であり、同一の構成については同一の符号を付して構成に関する詳細な説明を省略する。
【００９１】
導光板３０の第１出射面３３及び第２出射面３５と略直交する上下方向及び左右方向の平面で切断したときにおける導光板３０の下方側端面３６を断面視した場合について説明する。
【００９２】
導光板３０の下方側端面３６は、上方に向かって凹む凹部１４１（谷型部の一例）を有している。凹部１４１には、左右一対の第１側壁１４３と第２側壁１４４とが形成されている。凹部１４１は、第１側壁１４３と第２側壁１４４とによって挟まれて形成され、円弧状の溝である。
【００９３】
第１側壁１４３における右側の面は、第１曲面１４３ｃ（出射領域の一例）とする。第１曲面１４３ｃは円弧状に形成されている。第１曲面１４３ｃは、第１出射面３３の下端縁から屈曲して反射体４５まで右斜め上に向かって延びている。
【００９４】
第２側壁１４４における左側の面は、第２曲面１４４ｄ（出射領域の一例）とする。第２曲面１４４ｄは円弧状に形成されている。第２曲面１４４ｄは、第２出射面３５の下端縁から屈曲して反射体４５まで左斜め上に向かって延びている。なお、凹部１４１は、円弧面であるが、放物面等の曲面でもよい。
【００９５】
凹部１４１の中央領域（底部の一例）には、反射体４５が設けられている。反射体４５は、第１曲面１４３ｃと、第２曲面１４４ｄとの間に位置している。なお、反射体４５は、中央領域において左右対称に設けられていることが好ましい。
【００９６】
実施の形態１の変形例４においても、実施の形態１と同様の作用効果を奏する。
【００９７】
（実施の形態１の変形例５）
以下、本実施の形態１の変形例５に係る導光板３０の構成について、図９、図１０を用いて説明する。
【００９８】
図９は、実施の形態１の変形例５に係る照明装置１０における導光板３０の部分拡大断面図である。図１０は、実施の形態１の変形例５に係る照明装置１０における導光板３０の部分拡大断面斜視図である。
【００９９】
図９に示すように、この導光板３０における他の構成は、実施の形態１の導光板３０と同様であり、同一の構成については同一の符号を付して構成に関する詳細な説明を省略する。
【０１００】
導光板３０の第１出射面３３及び第２出射面３５と略直交する上下方向及び左右方向の平面で切断したときにおける導光板３０の下方側端面３６を断面視した場合について説明する。
【０１０１】
導光板３０の下方側端面３６には、下方に向かって突出する４つの凸部１５１（山型部の一例）が形成されている。導光板３０の下方側端面３６において、各凸部１５１は、三角波状をなすように左右方向に並び、それぞれが同一形状である。各凸部１５１は、前後方向に向かって略平行に並んでいる。
【０１０２】
左端の凸部１５１は、左側傾斜面１５１ｃ（出射領域の一例）と、右側傾斜面１５１ｄ（出射領域の一例）とを有している。左側傾斜面１５１ｃは、第１出射面３３の下端縁から右斜め下に向かって延びている。右側傾斜面１５１ｄは、左側傾斜面１５１ｃの下端縁から右斜め上に向かって延びている。右側傾斜面１５１ｄの上端縁は、隣接する凸部１５１の左側傾斜面１５１ｃの上端縁に接続されている。そして、同様の構成が連続し、右端の凸部１５１における右側傾斜面１５１ｄの上端縁は、第２出射面３５の下端縁に接続されている。
【０１０３】
凸部１５１とこの凸部１５１と異なり隣接する凸部１５１との間（谷部）には、反射体４５が設けられている。反射体４５は、この谷部の最深部（底部）と、左側傾斜面１５１ｃ及び右側傾斜面１５１ｄの一部を覆っている。
【０１０４】
凸部１５１では、凸部１５１の左端と凸部１５１の右端とを結ぶ仮想の底辺Ｖ１を規定すると、仮想の底辺Ｖ１と左側傾斜面１５１ｃと交差する鋭角の角度θ、及び仮想の底辺Ｖ１と右側傾斜面１５１ｄと交差する鋭角の角度θが共に３０°以上５０°以下である。なお、角度θは、略４５°であることが好ましい。仮想の底辺Ｖ１とは、凸部１５１を断面視した場合に、凸部１５１が略三角形状であり、その上方の辺である。
【０１０５】
凸部１５１の仮想の底辺Ｖ１と、仮想の底辺Ｖ１から垂直に延びる直線に存在する凸部１５１の頂点との距離Ｌ１は、１０μｍ以上２ｍｍ以下である。
【０１０６】
なお、凸部１５１は、図１１及び図１２に示すように形成されていてもよい。
【０１０７】
図１１の（ａ）及び図１１の（ｂ）は、実施の形態１の変形例５に係る照明装置１０における導光板３０の部分拡大断面斜視図である。
【０１０８】
図１１の（ａ）に示すように、凸部１５２は、四角推状に形成されていてもよい。凸部１５２は、左側傾斜面１５２ｅと、右側傾斜面１５２ｆと、前側傾斜面１５２ｍと、後側傾斜面１５２ｕとを有している。左側傾斜面１５２ｅは、凸部１５２の左側に位置し、右方から左方に向かう下り傾斜である。右側傾斜面１５２ｆは、左側傾斜面１５２ｅとは反対側の凸部１５２の右側に位置し、右方から左方に向かう上り傾斜である。前側傾斜面１５２ｍは、左側傾斜面１５２ｅと右側傾斜面１５２ｆとの間で、凸部１５２の前側に位置し、後方から前方に向かう上り傾斜である。後側傾斜面１５２ｕは、左側傾斜面１５２ｅと右側傾斜面１５２ｆとの間で、凸部１５２の後側に位置し、前方から後方に向かう上り傾斜である。
【０１０９】
図１１の（ｂ）に示すように、凸部１５３は、前後方向に延びるだけでなく、左右方向にも複数延びている。凸部１５３は、左側傾斜面１５３ｅと、右側傾斜面１５３ｆと、前側傾斜面１５３ｍと、後側傾斜面１５３ｕとを有している。左側傾斜面１５３ｅは、凸部１５３の左側に位置し、左方から右方に向かう上り傾斜である。右側傾斜面１５３ｆは、左側傾斜面１５３ｅとは反対側の凸部１５３の右側に位置し、左方から右方に向かう下り傾斜である。前側傾斜面１５３ｍは、左側傾斜面１５３ｃと右側傾斜面１５３ｄとの間で、凸部１５３の前側に位置し、後方から前方に向かう上り傾斜である。後側傾斜面１５３ｕは、左側傾斜面１５３ｃと右側傾斜面１５３ｄとの間で、凸部１５３の後側（前側傾斜面１５３ｍの反対側）に位置し、後方から前方に向かう下り傾斜である。
【０１１０】
［作用効果］
次に、本実施の形態１の変形例５おける導光板３０及び導光板３０を用いた照明装置１０の作用効果について説明する。
【０１１１】
上述したように、実施の形態１の変形例５に係る導光板３０では、導光板３０の第１出射面３３及び第２出射面３５と略直交する平面で切断したときにおける導光板３０の下方側端面３６を断面視した場合に、凸部１５１の左端（山型部の一端の一例）と凸部１５１の右端（山型部の他端の一例）とを結ぶ凸部１５１の仮想の底辺と、凸部１５１の左側傾斜面１５１ｃ（山型部の側面の一例）及び凸部１５１の右側傾斜面１５１ｄ（山型部の側面の一例）とが交差する鋭角の角度θは、３０°以上５０°以下である。
【０１１２】
この構成によれば、導光板３０を導光してきた光は、左側傾斜面１５１ｃ及び右側傾斜面１５１ｄで反射又は屈折する。角度θが３０°以上５０°以下である場合、入射面３１から下方向に向かって導光してきた光は、左側傾斜面１５１ｃ及び右側傾斜面１５１ｄに入射する。この光は、例えば、凸部１５１の左側傾斜面１５１ｃで反射すると、隣接する凸部１５１の右側傾斜面１５１ｄで反射され、入射面３１側に向かって反射する。この場合、この導光してきた光は、第１出射面３３及び第２出射面３５の上側で出射する。
【０１１３】
このため、照明装置１０を天井に配置した場合において、反射体４５で反射して入射面３１側に向う光は、上側の第１出射面３３及び上側の第２出射面３５から出射すると、天井の天井面付近を明るく照らすことができる。このため、室内でこの照明装置１０を使用した場合では、室内が明るく見える。
【０１１４】
また、実施の形態１の変形例５に係る導光板３０では、導光板３０の第１側壁４３及び第２側壁４４と略直交する平面で切断したときにおける導光板３０の下方側端面３６を断面視した場合に、凸部１５１における仮想の底辺Ｖ１と、仮想の底辺から垂直に延びる直線に存在する山型部の頂点との距離Ｌ１は、１０μｍ以上２ｍｍ以下である。
【０１１５】
この構成によれば、この導光板３０を用いた照明装置１０を天井に取り付けた場合に、使用者は、照明装置１０から距離を隔てた状態で、照明装置１０を見ても、距離Ｌ１が小さければ、凸部１５１を視認し難い。この場合、距離Ｌ１が小さければ小さいほど、凸部１５１が視認され難くなるため、導光板３０の凸部１５１における見え掛かりがよい。つまり、距離Ｌ１が２ｍｍよりも大きくなると見え掛かりが悪くなる。このため、この導光板３０は、見え掛かり（見栄え）がよい。
【０１１６】
また、距離Ｌ１が１０μｍ以上であれば、現実的な加工手段が存在するため、製造コストが高騰化し難い。このため、この導光板３０では、製造コストが高騰化し難い。
【０１１７】
（実施の形態２）
以下、本実施の形態２に係る導光板３０及び導光板３０を用いた照明装置１０の構成について、図１２及び図１３を用いて説明する。
【０１１８】
図１２は、実施の形態２に係る照明装置１０における導光板の下方における側面図である。図１３は、図１２のＸＩＩＩ−ＸＩＩＩ線において実施の形態２に係る照明装置１０における導光板３０の部分拡大断面図である。
【０１１９】
図１２及び図１３に示すように、この導光板３０における他の構成は、実施の形態１の導光板３０と同様であり、同一の構成については同一の符号を付して構成に関する詳細な説明を省略する。
【０１２０】
導光板３０の第１出射面３３及び第２出射面３５と略直交する上下方向及び左右方向の平面で切断したときにおける導光板３０の下方側端面３６を断面視した場合について説明する。
【０１２１】
図１２に示すように、導光板３０の下方側端面３６には、複数の凹部１６１が形成されている。凹部１６１は、ハニカム形状（六角形）をし、入射面３１に向かって凹む溝である。凹部１６１は、導光板３０の下方側端面３６に等間隔に形成されている。凹部１６１の内周面には、導光板３０を導光してきた光を吸収する不透過部材４７が設けられている。凹部１６１の底部１６１ｔには、反射体４５が設けられている。
【０１２２】
凹部１６１は、側壁１６３により形成されている。側壁１６３は、凹部１１１における内周面を構成している。
【０１２３】
側壁１６３には、内周面とは反対側の第１出射面３３、及び内周面とは反対側の第２出射面３５に不透過部材４７が設けられている。なお、反射体４５は、凹部１６１の底部１６１ｔに設けているが、側壁１６３の下端面に設けられていてもよい。
【０１２４】
導光板３０を導光してきた光は、側壁１６３に入射すると、不透過部材４７で吸収されたり、側壁１６３の下端面（出射領域の一例）から出射又は反射したりする。
【０１２５】
［作用効果］
次に、本実施の形態２おける導光板３０の作用効果について説明する。
【０１２６】
上述したように、実施の形態２に係る導光板３０は、導光板３０の第１出射面３３及び第２出射面３５と略直交する平面で切断したときにおける導光板３０の下方側端面３６を断面視した場合に、下方側端面３６は、反射体４５を収容する凹部１６１が形成されている。そして、凹部１６１の内周面には、導光板３０で導光している光の透過を規制する不透過部材４７が設けられている。
【０１２７】
この構成によれば、第１出射面３３及び第２出射面３５と対面して導光板３０の凹部１６１を見た場合に、不透過部材４７が導光板３０を導光してきた光を吸収し、反射体４５が導光してきた光を反射させる。このため、導光板３０の下方側端面３６から出射するグレアを低減することができる。
【０１２８】
実施の形態２においても、実施の形態１と同様の作用効果を奏する。
【０１２９】
（その他の変形例）
以上、本発明に係る導光板及び導光板を用いた照明装置について、実施の形態１、２及び実施の形態１の変形例１〜５に基づいて説明したが、本発明は、上記実施の形態１、２及び実施の形態１の変形例１〜５に限定されるものではない。
【０１３０】
例えば、上記実施の形態１、２及び実施の形態１の変形例１〜５において、マイクロプリズム素子は、第１出射面及び第２出射面に形成されているが、いずれかの一方の面でもよい。また、マイクロプリズム素子が第１出射面又は第２出射面に形成されている場合は、マイクロプリズム素子が形成されている側の面に、高反射塗装やアルミ蒸着など、光の反射率を高める表面処理がされてもよい。これにより、表面処理がされている面における光の反射率は、光の反射率を高める表面処理がされていない場合に比べて導光板の光の反射率よりも大きくなり、光源からの光を効率よく反射できる。
【０１３１】
また、光源が複数個ある場合において、光源ごとにそれぞれが互いに異なる色温度の光を発光してもよい。この場合、例えば、ある光源からは、光源を昼光色とした光を出射し、異なる光源からは、異なる光源を電球色とすることができる。なお、光源ごとにそれぞれが互いに異なる色温度の光を発光することは、導光板をごとに分けてもよい。
【０１３２】
また、照明装置は、導光板が上下方向に延びるように設けられているが、中空の円盤形状をなした導光板を左右方向に延びるように設けてもよい。具体的には、導光板には、中央に筒状をした本体部が貫通する貫通孔が形成されていてもよい。導光板の入射面には、本体部に設けられている光源が対面するように配置されていてもよい。マイクロプリズム素子は、導光板の上面に形成されていてもよい。つまり、照明装置はダウンライトであってもよい。
【０１３３】
さらに、照明装置は、天井に設けられているが、床に設けられていてもよい。この場合、導光板は、床の床面に対して水平であってもよく、床の床面に対して水平であってもよく、垂直であってもよく、床の床面に対して斜めであってもよい。
【０１３４】
その他、実施の形態１、２及び実施の形態１の変形例１〜５に対して当業者が思いつく各種変形を施して得られる形態や、本発明の趣旨を逸脱しない範囲で実施の形態１、２及び実施の形態１の変形例１〜５における構成要素及び機能を任意に組み合わせることで実現される形態も本発明に含まれる。
【符号の説明】
【０１３５】
１０  照明装置
１５  光源
３０  導光板
３１  入射面（一方側端面）
３３  第１出射面（主面）
３５  第２出射面（主面）
３６  下方側端面（他方側端面）
４１、１１１、１２１、１４１  凹部（谷型部）
４１ｔ、１１１ｔ、１２１ｔ、１２１ｓ、１４１ｔ  底部
４５  反射体
４７  不透過部材
１３１  凸部（山型部）
１５１ｃ  左側傾斜面（山型部の側面）
１５１ｄ  右側傾斜面（山型部の側面）
【図１】
2017152107.tif 000003
【図２】
2017152107.tif 000004
【図３】
2017152107.tif 000005
【図４】
2017152107.tif 000006
【図５】
2017152107.tif 000007
【図６】
2017152107.tif 000008
【図７】
2017152107.tif 000009
【図８】
2017152107.tif 000010
【図９】
2017152107.tif 000011
【図１０】
2017152107.tif 000012
【図１１】
2017152107.tif 000013
【図１２】
2017152107.tif 000014
【図１３】
2017152107.tif 000015